(57)【要約】【課題】構造を複雑化することなく、顔を上に向けずに所定量の薬液を正確に吐出できる点眼補助具及び該点眼補助具を備える点眼器を提供すること。【解決手段】点眼補助具２０は、補助具本体３０と、補助具本体３０に形成される連通孔３９と、連通孔３９を介して中空部３１に空気を供給するポンプ部材７２と、を備える。補助具本体３０は、中空部３１を有する筒状に形成されるとともに、先端部３８に薬液吐出開口３２及び表面張力により所定量の薬液を保持する薬液保持部４０が配置される。また、補助具本体３０の他端部６５には、点眼容器１０に接続される接続部３３が配置される。【選択図】図３
2016202584.tif 000002
【特許請求の範囲】
【請求項１】
中空部を有する筒状に形成されるとともに、先端部に薬液吐出開口及び表面張力により所定量の薬液を保持する薬液保持部が配置され、他端部に点眼容器に接続される接続部が配置された補助具本体と、
前記補助具本体に形成される連通穴と、
前記連通穴を介して前記中空部に空気を供給するポンプ部材と、
を備える点眼補助具。
【請求項２】
前記薬液保持部は、
先端側の前記薬液吐出開口に近づくにつれて狭まる空間として形成される請求項１に記載の点眼補助具。
【請求項３】
前記補助具本体における前記中空部を形成する内壁と、前記点眼容器が有する吐出部と、の間には隙間が形成される請求項１又は２に記載の点眼補助具。
【請求項４】
前記ポンプ部材が配置されるとともに、前記補助具本体を覆う補助具外装を備え、
前記補助具本体は、前記補助具外装に対して着脱可能な別体として構成される請求項１から３までの何れかに記載の点眼補助具。
【請求項５】
前記補助具本体の先端側に配置され、前記薬液吐出開口の周囲を覆う点眼ガイド部を備える請求項１から４までの何れかに記載の点眼補助具。
【請求項６】
中空部を有する筒状に形成されるとともに、先端部に薬液吐出開口及び表面張力により所定量の薬液を保持する薬液保持部が配置され、他端部に点眼容器に接続される接続部が配置された補助具本体と、
前記補助具本体に形成される連通穴と、
前記連通穴を介して前記中空部に空気を供給するポンプ部材と、
前記接続部に接続される前記点眼容器と、
を備える点眼器。
【発明の詳細な説明】
【技術分野】
【０００１】
本発明は、点眼容器に取り付けられる点眼補助具及び該点眼補助具を備える点眼器に関する。
【背景技術】
【０００２】
従来から、点眼器において、顔を前に向けた状態での点眼を実現するために、薬液を噴出させる構成を備えたものが知られている。この種の点眼器を開示するものとして、例えば、特許文献１及び特許文献２がある。特許文献１には、点眼器に装着される点眼器用アダプターにおいて、点眼容器の内部に連通する連通口から噴出口への点眼液の移動のみを許容する一方向弁を流路に配置する構成が開示されている。特許文献２には、点眼器において、薬液の入った容器に頬骨ガイドとポンプを取り付ける構成が開示されている。
【先行技術文献】
【特許文献】
【０００３】
【特許文献１】特開２００４−１４８０５２号公報
【特許文献２】実開平６−８０４４２号公報
【発明の概要】
【発明が解決しようとする課題】
【０００４】
顔を前に向けたまま点眼できれば、顔を上に向ける動作が必要なくなり、自然な姿勢で点眼動作を行うことができる。特に、顔を上向きにすることができない又は手を高く上げることができない事情がある使用者にとって、顔を前に向けた状態で点眼を行うことができる点眼器は有用である。この点、特許文献１に開示される技術は、顔を前に向けた状態での点眼を実現しているものの、弁構造を採用しているため、弁の経年劣化等を考慮する必要がある。この点、特許文献２に開示される技術は、ポンプを利用したシンプルな構成であるものの、噴出される薬液がポンプを押すときの使用者の力加減の影響を受け易く、所定量の薬液を正確に点眼するという観点で改善の余地があった。
【０００５】
本発明は、構造を複雑化することなく、顔を上に向けずに所定量の薬液を正確に吐出できる点眼補助具及び該点眼補助具を備える点眼器を提供することを目的とする。
【課題を解決するための手段】
【０００６】
本発明は、中空部を有する筒状に形成されるとともに、先端部に薬液吐出開口及び表面張力により所定量の薬液を保持する薬液保持部が配置され、他端部に点眼容器に接続される接続部が配置された補助具本体と、前記補助具本体に形成される連通穴と、前記連通穴を介して前記中空部に空気を供給するポンプ部材と、を備える点眼補助具に関する。
【０００７】
前記薬液保持部は、先端側の前記薬液吐出開口に近づくにつれて狭まる空間として形成されることが好ましい。
【０００８】
前記補助具本体における前記中空部を形成する内壁と、前記点眼容器が有する吐出部と、の間には隙間が形成されることが好ましい。
【０００９】
前記点眼補助具は、前記ポンプ部材が配置されるとともに、前記補助具本体を覆う補助具外装を備え、前記補助具本体は、前記補助具外装に対して着脱可能な別体として構成されることが好ましい。
【００１０】
前記点眼補助具は、前記補助具本体の先端側に配置され、前記薬液吐出開口の周囲を覆う点眼ガイド部を備えることが好ましい。
【００１１】
また、本発明は、中空部を有する筒状に形成されるとともに、先端部に薬液吐出開口及び表面張力により所定量の薬液を保持する薬液保持部が配置され、他端部に点眼容器に接続される接続部が配置された補助具本体と、前記補助具本体に形成される連通穴と、前記連通穴を介して前記中空部に空気を供給するポンプ部材と、前記接続部に接続される前記点眼容器と、を備える点眼器に関する。
【発明の効果】
【００１２】
本発明によれば、構造を複雑化することなく、顔を上に向けずに所定量の薬液を正確に吐出できる点眼補助具及び該点眼補助具を備える点眼器を提供できる。
【図面の簡単な説明】
【００１３】
【図１】本発明の第１実施形態の点眼器を示す斜視図である。
【図２】第１実施形態の点眼器を分解した様子を示す斜視図である。
【図３】第１実施形態の点眼補助具の内部の様子を模式的に示す側面断面図である。
【図４】第１実施形態の点眼補助具の内部の様子を模式的に示す平断面図である。
【図５】点眼補助具内部の吐出部近傍の様子を模式的に示す拡大断面図である。
【図６】第２実施形態の点眼器の内部の様子を模式的に示す側面断面図である。
【発明を実施するための形態】
【００１４】
以下、本発明の点眼補助具を備える点眼器の好ましい各実施形態について、図面を参照しながら説明する。図１は、本発明の第１実施形態の点眼器１を示す斜視図である。図２は、点眼器１を分解した様子を示す斜視図である。
【００１５】
第１実施形態の点眼器１の全体構成について説明する。図１及び図２に示すように、点眼器１は、点眼容器１０と、点眼補助具２０と、キャップ９０と、を備える。
【００１６】
まず、点眼補助具２０が取り付けられる点眼容器１０について説明する。点眼容器１０は、容器本体１１と、吐出部１２と、容器側嵌合部１３と、を備える。容器本体１１は、薬液を収容する。吐出部１２は、その先端に吐出口が形成されるノズルである。容器本体１１の外側面がスクイズされることにより、薬液が吐出部１２を通じて点眼容器１０の外部に吐出される。容器側嵌合部１３は、容器本体１１と吐出部１２の間に位置する。容器側嵌合部１３には、点眼補助具２０を取り付けるためのネジ山が形成される。
【００１７】
次に、点眼補助具２０について説明する。点眼補助具２０は、顔を上に向けることなく、適切な点眼を実現するための点眼容器１０の補助具である。点眼補助具２０は、補助具本体３０と、補助具外装５０と、を備える。
【００１８】
補助具本体３０は、筒状に形成されている。本実施形態では、補助具本体３０は、透光性のある材料で形成されており、その内部の様子が確認できるようになっている。また、補助具本体３０は、薬液が接触する部分であるため滅菌する必要があるので、滅菌工程で劣化しない材料で形成されている。更に、抗菌性の材料を用いて補助具本体３０を形成してもよい。
【００１９】
補助具本体３０の構成について説明する。図３は、点眼補助具２０の内部の様子を模式的に示す側面断面図である。図４は、点眼補助具２０の内部の様子を模式的に示す平断面図である。図５は、点眼補助具２０内部の吐出部１２近傍の様子を模式的に示す拡大断面図である。
【００２０】
図３及び図４に示すように、本実施形態の補助具本体３０は、中空部３１と、薬液吐出開口３２と、薬液保持部４０と、先端側リブ４１と、接続部３３と、パッキン部材３４と、本体側嵌合部３５と、位置決めリブ３６と、連通孔３９と、を備える。
【００２１】
中空部３１は、補助具本体３０の内部の空間である。本実施形態の中空部３１は、点眼容器１０から滴下された薬液が外部に吐出されるまでに通過する空間であり、補助具本体３０の内壁６６によって形成される。
【００２２】
図５に示すように、補助具本体３０が点眼容器１０に取り付けられた状態では、点眼容器１０の吐出部１２の外側面と、中空部３１の内壁６６と、の間に距離ｄの隙間が形成される。即ち、補助具本体３０は、その中空部３１の径の大きさが、吐出部１２の径よりも大きくなるように形成されているのである。
【００２３】
薬液吐出開口３２は、補助具本体３０の先端部３８に形成される。薬液吐出開口３２を通じて薬液が外部に放出される。
【００２４】
薬液保持部４０は、中空部３１と薬液吐出開口３２の間に配置され、補助具本体３０の内壁６６によって形成される細長の空間である。本実施形態では、薬液保持部４０は、中空部３１から薬液吐出開口３２に近づくにつれて狭まるように形成される。
【００２５】
薬液保持部４０は、その形状や大きさが、表面張力によって所定量の薬液を保持できるように設定される。薬液の所定量の下限は、１０μＬ以上であること好ましく、２５μＬ以上であることがより好ましい。また、薬液の所定量の上限は、７０μＬ以下であることが好ましく、５０μＬ以下であることがより好ましい。本実施形態では、２５μＬから５０μＬ程度の薬液が保持できるように、薬液保持部４０の空間が形成される。
【００２６】
先端側リブ４１ は、補助具本体３０における薬液保持部４０が形成される部分であり、先端部３８よりも点眼容器１０側の窪み部分に形成される。本実施形態では、先端側リブ４１は、補助具本体３０の長手方向に細長く伸びるように形成されており、平面視において複数個所（本実施形態では４箇所）に等間隔に配置される。
【００２７】
接続部３３は、点眼容器１０と接続するための部分である。本実施形態では、接続部３３は、薬液吐出開口３２が形成される先端部３８とは反対側の他端部６５に形成される。接続部３３は、その内側に容器側嵌合部１３のネジ山に対応するネジ溝が形成される。接続部３３と容器側嵌合部１３が螺合することによって、補助具本体３０と容器本体１１が接続される。
【００２８】
パッキン部材３４は、接続部３３の内側で、補助具本体３０と点眼容器１０との間に配置される。このパッキン部材３４により、補助具本体３０と点眼容器１０が密着し、補助具本体３０の中空部３１の気密性がより好適に保持される。
【００２９】
本体側嵌合部３５及び位置決めリブ３６は、補助具本体３０と接続するための部分である。本体側嵌合部３５は、接続部３３の外周部分にリング状に形成される。この本体側嵌合部３５に、補助具外装５０の後述する外装側嵌合部５５が嵌合される。本実施形態では、位置決めリブ３６は、接続部３３における本体側嵌合部３５よりも点眼容器１０側に１箇所形成される。なお、位置決めリブ３６の数や形状は、事情に応じて適宜変更できる。
【００３０】
連通孔３９は、ポンプ部材７２と中空部３１を連通する貫通孔であり、補助具本体３０の側面に形成される。ポンプ部材７２から送り出される空気は、この連通孔３９を通じて中空部３１に供給される。
【００３１】
補助具本体３０が備える主要な構成は、以上の通りである。次に、補助具外装５０について説明する。第１実施形態の補助具外装５０は、外装本体５１と、先端側挿入部５２と、先端ガイド５３と、ポンプ機構７０と、本体規制部５４と、外装側嵌合部５５と、切欠き部５６と、点眼ガイド部５７と、を備える。
【００３２】
外装本体５１は、中空部５９を有する筒状に形成され、この中空部５９に補助具本体３０が収容される。また、外装本体５１には、補助具本体３０の様子を確認するための視認部６０が形成される。視認部６０は、吐出部１２から薬液保持部４０に保持された薬液の液面までが見えるように矩形状に開口している。上述の通り、補助具本体３０は、透光性のある材料で構成されているので、使用者は視認部６０を通じて補助具本体３０の内部の様子を観察できるようになっている。これにより、吐出部１２から薬液が正しく排出され、更に排出された薬液が薬液保持部４０に保持されているか否かが確認できる。なお、外装本体５１を透光性の材料で形成し、外側から吐出部１２及び薬液保持部４０の様子を確認できる場合は、敢えて視認部６０を設ける必要もない。
【００３３】
先端側挿入部５２は、外装本体５１の先端に形成される。先端側挿入部５２の形状は、補助具本体３０の先端部３８の形状に応じて構成されており、外装本体５１の内側から補助具本体３０の先端部３８が挿入保持される部分である。先端側挿入部５２の先端は、薬液吐出開口３２を外部に露出させるため、開口している。
【００３４】
先端ガイド５３は、補助具本体３０の先端部３８の先端側挿入部５２への挿入をガイドする部分である。本実施形態では、外装本体５１の中空部５９における先端側挿入部５２の周囲に形成される。先端ガイド５３は、先端側挿入部５２から点眼容器１０側に近づくにつれて中心から径方向の外側に拡がるテーパ状に形成されている。これにより、先端側挿入部５２への補助具本体３０の先端部３８の挿入をスムーズかつ適切に行うことができるようになっている。
【００３５】
ポンプ機構７０は、補助具外装５０に形成されるポンプ取付部７１と、該ポンプ取付部７１に取り付けられるポンプ部材７２と、から構成される。
【００３６】
ポンプ取付部７１は、ポンプ部材７２を取り付ける収容部である。本実施形態のポンプ取付部７１は、その位置が、補助具外装５０に嵌合された補助具本体３０の連通孔３９の位置に対応するように、補助具外装５０に形成される。
【００３７】
ポンプ部材７２は、シリコン等の弾性材料によって形成される。本実施形態のポンプ部材７２は、使用者に押圧されることにより、連通孔３９を通じて補助具本体３０の中空部３１に空気を供給する。
【００３８】
外装側嵌合部５５は、本体側嵌合部３５に対応するように、外装本体５１の内側に形成される。切欠き部５６は、位置決めリブ３６に対応するように外装本体５１の点眼容器１０側の端部に形成される。切欠き部５６に位置決めリブ３６が嵌まる位置で、外装側嵌合部５５と本体側嵌合部３５を嵌合させることで、補助具本体３０と補助具外装５０が適切な位置で嵌合される。これにより、ポンプ部材７２と連通孔３９が対向する位置で、補助具本体３０と補助具外装５０が接続される。
【００３９】
点眼ガイド部５７は、点眼時における点眼器１の姿勢を適切な位置にする点眼位置決め部材である。第１実施形態の点眼ガイド部５７は、カップ状に形成されている。点眼ガイド部５７は、カップの底に相当する部分に、薬液吐出開口３２が位置するように構成される。使用者が点眼ガイド部５７の端面が目の周りに位置するように顔に当てることにより、薬液吐出開口３２が点眼時の目の位置に対応する位置になる。
【００４０】
キャップ９０は、点眼補助具２０の補助具本体３０から露出する薬液吐出開口３２を覆うカバーである。使用者は、点眼器１の使用時にキャップ９０を取り外して薬液吐出開口３２を外部に露出させる。
【００４１】
点眼器１の主要な構成は、以上の通りである。使用者は、点眼容器１０に点眼補助具２０を取り付けて点眼を行う。点眼容器１０と点眼補助具２０の接続は、点眼容器１０の容器側嵌合部１３と、点眼補助具２０の接続部３３と、を螺合させることで行われる。なお、点眼補助具２０は、点眼容器１０に点眼時に毎回、取り付け／取り外しをする必要はなく、点眼容器１０に取り付けた状態でも保管が可能である。
【００４２】
次に、第１実施形態の点眼器１によって行う点眼動作について説明する。上述の通り、使用者は、キャップ９０を点眼補助具２０から取り外して薬液吐出開口３２を外部に露出させる。
【００４３】
まず、薬液吐出開口３２が下になるように点眼器１を逆さの状態にする。点眼器１の薬液吐出開口３２が下方にある状態で、容器本体１１の外側面をスクイズして薬液を点眼容器１０の吐出部１２から滴下する。
【００４４】
吐出部１２から滴下された薬液は、重力によって中空部３１を通って薬液保持部４０に落下する。このとき、吐出部１２と中空部３１の間には、距離ｄの隙間が設けられているので、補助具本体３０の内壁６６をつたうことなく、適切な量の薬液が薬液保持部４０に到達する。薬液保持部４０では、その細長い空間による表面張力によって薬液が保持される。従って、点眼器１を立てたり（図１又は図３に示す状態）、横に向けたりしても、薬液は薬液保持部４０に保持されたままとなる。薬液保持部４０に保持される薬液は、点眼容器１０をスクイズしたときに滴下された量であり、点眼で用いられる所定量である。
【００４５】
次に、使用者は、顔を前に向けた状態で、点眼ガイド部５７の底を見るように、点眼器１を顔に押し当てる。これにより、薬液吐出開口３２が、目に対して適切な位置になり、点眼器１の姿勢も安定した状態になる。
【００４６】
点眼ガイド部５７によって点眼器１の姿勢が保持された状態で、使用者がポンプ部材７２を押し下げる。ポンプ部材７２が押し下げられることによって連通孔３９から補助具本体３０の中空部３１の内部に空気が供給され、パッキン部材３４により気密性が保たれているため、中空部３１の内部圧力が上昇する。この内部圧力の上昇によって薬液保持部４０に保持された薬液の全量が、薬液吐出開口３２から吐出する。薬液は、薬液吐出開口３２が向く方向（点眼器１の長手方向）に重力に逆らいながら吐出し、点眼ガイド部５７の内側で使用者の目に到達する。ポンプ部材７２の空気の供給を利用して薬液吐出開口３２から薬液を吐出させているので、使用者は顔を上に向けることなく、点眼を行うことができる。また、薬液保持部４０は、点眼に適切な量を保持するように構成されているので、薬液吐出開口３２から吐出される量も適切な量となる。
【００４７】
次に、点眼容器１０の取り替えについて説明する。点眼容器１０の薬液がなくなる、又は使用期間を超えた場合には、点眼容器１０を取り替えることによって点眼器１を再び使用できる状態にすることができる。本実施形態の点眼器１は、点眼補助具２０と点眼容器１０の螺合を解除することで、点眼容器１０から点眼補助具２０を分離させることができる（図２参照）。
【００４８】
衛生面を考慮した場合、点眼容器１０の取り替えに伴い補助具本体３０も新しいものに取り替えるのが好ましい。本実施形態では、補助具本体３０は、薬液の取り替えとともに廃棄されるディスポーザル部材である。補助具本体３０と補助具外装５０の分離は、外装側嵌合部５５と本体側嵌合部３５の嵌合を解除することで行われる。点眼容器１０の取り替えとともに、補助具本体３０を新しいものに取り替えが行われる。これにより、薬液が接触する部分である補助具本体３０に対しては適切な期間で新しいものに切り替えることができ、衛生面の管理が可能となる。ポンプ部材７２を備える補助具外装５０は、薬液が直接的に接触しないので、長期間にわたって再利用することが可能である。
【００４９】
通常、点眼容器１０と補助具本体３０は同時に取り換えることになる。本実施形態の点眼補助具２０は、補助具本体３０と補助具外装５０の接続は、スナップフィット式に構成されているので、点眼容器１０が補助具本体３０に装着されたまま補助具外装５０から簡単に取り外すことができ、点眼容器１０と補助具本体３０が一体となった状態のまま廃棄することができる。
【００５０】
以上説明した第１実施形態の点眼補助具２０が適用された点眼器１によれば、以下のような効果を奏する。点眼補助具２０は、補助具本体３０と、補助具本体３０に形成される連通孔３９と、連通孔３９を介して中空部３１に空気を供給するポンプ部材７２と、を備える。補助具本体３０は、中空部３１を有する筒状に形成されるとともに、先端部３８に薬液吐出開口３２及び表面張力により所定量の薬液を保持する薬液保持部４０が配置される。また、補助具本体３０の他端部６５には、点眼容器１０に接続される接続部３３が配置される。
【００５１】
これにより、薬液保持部４０に適切な量の薬液を保持させた状態で、ポンプ部材７２によって空気を供給することで、適切な量の薬液を薬液吐出開口３２から吐出させることができる。複雑な弁構造等を採用しなくても、顔を前に向けた状態で点眼できる点眼器１をシンプルな構成で実現することができる。
【００５２】
本実施形態の薬液保持部４０は、先端側の薬液吐出開口３２に近づくにつれて狭まる空間として形成される。これにより、点眼容器１０から滴下された薬液を先端側に効率的に集めることができるとともに、薬液吐出開口３２から吐出されるまで薬液保持部４０に薬液をより確実に保持することができる。
【００５３】
本実施形態では、補助具本体３０における中空部３１を形成する内壁６６と、点眼容器１０が有する吐出部１２と、の間には隙間が形成される（図５参照）。これにより、中空部３１と吐出部１２の間に形成される隙間によって、吐出部１２より滴下された薬液が補助具本体３０の中空部３１を形成する内壁６６に接触し、薬液保持部４０に適切な量の薬液が保持されない事態を効果的に防止できる。
【００５４】
本実施形態の点眼補助具２０は、ポンプ部材７２が配置されるとともに、補助具本体３０を覆う補助具外装５０を備える。補助具本体３０は、補助具外装５０に対して着脱可能な別体として構成される（図２参照）。本実施形態では、補助具外装５０は、薬液が直接接触しない構成であるが、補助具本体３０は、薬液吐出開口３２及び薬液保持部４０を有し、薬液が接触する部分を有する。補助具本体３０の中空部３１に、薬液吐出開口３２から外部に吐出されずに薬液が長時間残留する場合でも、補助具本体３０を取り替えることができるので、取り替えられた点眼容器１０から滴下された薬液に、長時間残留した薬液が混入する事態が確実に防止される。
【００５５】
本実施形態の点眼補助具２０は、補助具本体３０の先端側に配置され、薬液吐出開口３２の周囲を覆う点眼ガイド部５７を備える。点眼ガイド部５７によって点眼器１の姿勢が適切に決まるので、使用者の目に対する薬液吐出開口３２の位置を適正な位置にすることができる。また、点眼ガイド部５７の深さを調節することによって、点眼時における薬液吐出開口３２から目までの距離を適切なものにすることができる。
【００５６】
次に、第２実施形態の点眼器２０１について説明する。図６は、第２実施形態の点眼補助具２０の内部の様子を模式的に示す側面断面図である。第１実施形態の構成と同様の構成については、同じ符号を付してその説明を省略する場合がある。また、図６では、第１実施形態のキャップ９０に相当する構成を省略している。
【００５７】
図６に示すように、第２実施形態の点眼器２０１は、点眼ガイド部２５７の構成が、第１実施形態と異なる。第２実施形態の点眼ガイド部２５７は、使用者の眼下の頬骨付近に接触させる傾斜部２６０を有する。使用者は、傾斜部２６０を眼下の頬に接触させることにより、適切な位置での点眼が可能になっている。
【００５８】
以上、本発明の点眼補助具及び点眼器の好ましい各実施形態について説明したが、本発明は、上述の実施形態に制限されるものではなく、適宜変更が可能である。
【００５９】
上記実施形態のポンプ部材７２の構成は、適宜変更することができる。例えば、ポンプ部材に接続されたチューブ部材を通じて補助具本体の連通孔から空気を供給する構成にすることもできる。また、モータやソレノイド等の駆動源を利用して、補助具本体の中空部に空気を供給する構成に変更することもできる。このように、ポンプ部材７２の構成は、事情に応じて適宜変更することができる。
【００６０】
上記実施形態では、点眼補助具２０が点眼ガイド部５７又は点眼ガイド部２５７を備える構成であるが、点眼ガイド部５７又は点眼ガイド部２５７を上記実施形態から省略することもできる。また、補助具外装５０の構成は、適宜変更できる。例えば、補助具外装５０から本体規制部５４を省略することもできる。
【００６１】
上記実施形態では、点眼容器１０と点眼補助具２０が別体の構成の点眼器１を例としているが、この構成に限定されない。例えば、本実施形態の点眼容器１０と点眼補助具２０を一体的に成形する構成に変更することもできる。また、点眼補助具２０において、補助具本体と補助具外装を一体的な部材として構成することもできる。
【符号の説明】
【００６２】
１  点眼器
１０  点眼容器
１２  吐出部
２０  点眼補助具
３０  補助具本体
３１  中空部
３２  薬液吐出開口
３３  接続部
３９  連通孔
４０  薬液保持部
５０  補助具外装
５７  点眼ガイド部
６５  他端部
６６  内壁
７２  ポンプ部材
２０１  点眼器
２５７  点眼ガイド部
【図１】
2016202584.tif 000003
【図２】
2016202584.tif 000004
【図３】
2016202584.tif 000005
【図４】
2016202584.tif 000006
【図５】
2016202584.tif 000007
【図６】
2016202584.tif 000008